(57)【要約】【課題】清潔な状態で水汲みバケツを持ち運び可能に収容することができる釣用バッグを提供すること。【解決手段】この餌用バケツ１は、容器状のバケツ本体１０と、その上面に設けられた上蓋１１とを有する。バケツ本体１０の一側面２６にサイドポケット６０が設けられている。サイドポケット６０は、本体シート６５により構成されている。サイドポケット６０は、折り畳まれた状態の水汲みバケツ９４を収容可能なサイズに設定されている。このサイドポケット６０は、折畳姿勢と展開姿勢との間で姿勢変化するよう構成されている。【選択図】図１
2007330133.tif 000002
【特許請求の範囲】
【請求項１】
バッグ本体と、
バッグ本体の外側面に設けられ、釣りに使用される水汲みバケツを収容可能なポケットを構成するシート状の被覆部材とを備え、
被覆部材は、可撓性を有し、上記外側面に沿うように折り畳まれた折畳姿勢と該折畳姿勢から外方に膨出展開した展開姿勢との間で姿勢変化する釣用バッグ。
【請求項２】
上記被覆部材は、上記外側面と対向するように配置された正面部と、該正面部と上記外側面とを連結する襠部とを有し、
上記襠部は、上記被覆部材が上記折畳姿勢となったときに上記ポケットの内側に屈曲するように仕付けられている請求項１に記載の釣用バッグ。
【請求項３】
上記襠部はＶ字状に折り曲げられており、該Ｖ字の谷に対応する部分に溝が設けられている請求項２に記載の釣用バッグ。
【請求項４】
上記被覆部材を上記折畳姿勢に保持する保持部材がさらに設けられている請求項１から３のいずれかに記載の釣用バッグ。
【請求項５】
上記保持部材は、上記被覆部材が上記折畳姿勢となったときに上記溝で谷折りされたことにより対面する一方の面に設けられた係合部と、他方の面に設けられた被係合部とを有してなる請求項４に記載の釣用バッグ。
【請求項６】
上記係合部及び被係合部は、一対の面ファスナーからなる請求項５に記載の釣用バッグ。
【請求項７】
上記襠部は、ベローズ状に形成されている請求項１に記載の釣用バッグ。
【請求項８】
上記ポケットの底面部の幅方向両端に開口が形成されている請求項１から７のいずれかに記載の釣用バッグ。
【請求項９】
上記襠部は、メッシュ構造を有してなる請求項２から８のいずれかに記載の釣用バッグ。
【発明の詳細な説明】
【技術分野】
【０００１】
本発明は、魚釣りの際に使用される釣用バッグの構造に関するものである。
【背景技術】
【０００２】
魚釣りにおいては、釣人は、釣り竿が収容されたロッドケース、水汲みバケツや各種釣り道具が収容されたタックルバッグ（釣用バッグの一例）、撒き餌やサシエ等の釣餌を収容するための餌用バケツ（釣用バッグの一例）を携行して釣り場に入る。なお、タックルバッグは、例えば特許文献１に開示されており、餌用バケツは、例えば特許文献２に開示されている。
【０００３】
ここで、従来の餌用バケツの一例を図１５に示す。同図が示すように、餌用バケツ１４０は、合成樹脂からなるバケツ本体１４１と、バケツ本体１４１の両側面１４２に取り付けられた一対の把手１４３と、バケツ本体１４１の上面に設けられた蓋１４６とを有する。バケツ本体１４１は、直方体の容器状に形成されており、その上面に開口を有する。このバケツ本体１４１の内部に撒き餌等の釣餌が収容される。バケツ本体１４１の開口を閉塞するように蓋１４６が設けられている。この蓋１４６は、図示するように、バケツ本体１４１の開口周縁にファスナー１４７で連結可能となっている。把手１４３は、例えば、ポリエチレン（ＰＥ）やエチレン酢酸ビニル共重合体（ＥＶＡ）等により構成されている。この把手１４３は、取付用ステー１４４を介してバケツ本体１４１に取り付けられている。把手１４３の基端部１４８は取付用ステー１４４に設けられたボス部１４５に嵌め込まれており、当該把手１４３はボス部１４５を中心に回動自在となっている。
【０００４】
釣人は釣り場に着くと、ロッドケースやタックルバック等から釣道具を取り出して魚釣りの準備に取りかかる。魚釣りにおいては、撒き餌作りや手洗い、或いは釣り場の清掃などに水が必須である。したがって、釣人は、水汲みバケツをタックルバッグから取り出して、当該水汲みバケツを用いて撒き餌に加える水や手洗い用の水を汲み取る。その後、水汲みバケツは、水が張られた状態で釣人の近辺に置かれて用いられる。
【０００５】
魚釣りの際には、潮の状態や天候が急変することもあり、釣人は釣り場を変えざるを得ない場合がある。また、魚影の濃いポイントを求めて釣り場を転々と移動する場合もある。このように釣り場を移動する場合、釣人は、１回の移動で全ての荷物を所望するポイントに移したいと考える。特に、足場が不安定な磯場で釣りをする場合は、移動するのに時間がかかるため、元の釣り場まで荷物を取りに戻るのは億劫である。また、沖磯を釣り場とする場合に磯変わりをする際は、磯場と渡船との間を迅速に移らなければならず、１回の乗り降りで荷物の移動を完了させることが強く求められる。
【０００６】
したがって、従来、釣人は、１回の移動で全ての荷物を移すため、例えば、タックルバッグを肩から背負い、両手にはロッドケースと餌用バケツとを携えて移動する。このとき、水汲みバケツは、海水を棄てた後に餌用バケツに放り込まれた状態で持ち運ばれる。
【０００７】
【特許文献１】特開２００５−２６１２６２号公報
【特許文献２】特開２００１−１９０１９８号公報
【発明の開示】
【発明が解決しようとする課題】
【０００８】
しかしながら、撒き餌の入った餌用バケツに水汲みバケツを放り込んで持ち運ぶと、水汲みバケツに撒き餌が付着する。釣り場を移動した後に水汲みバケツを用いると、撒き餌が手に付着して、不快な思いをする。また、きれいな水を汲み上げるためには、海中において水汲みバケツに付着した撒き餌を洗い流す必要があるが、この作業に多大な時間がとられて、釣り始めが遅れるという問題もある。また、一般に、水汲みバケツには、足場の高い処から海水を汲み上げることを可能とするため吊下げロープが連結されているが、吊下げロープに撒き餌や該撒き餌から滲み出た液体が浸透し、汚れや臭いが吊下ロープに付着するという問題もある。
【０００９】
また、魚釣り終了後は、釣人は、海水で十分に洗浄して水分を拭き取った後に水汲みバケツをタックルバッグに収容する。しかしながら、乾いた布がない場合や、拭き取り時間がない場合は、水汲みバケツやその吊下げロープに水分が付着したままの状態でタックルバッグに収容せざるを得ず、タックルバック内に海水が滲み出て、他の釣り道具を汚してしまうという問題がある。
【００１０】
そこで、本発明は上記事情に鑑みてなされたものであり、その目的とするところは、清潔な状態で水汲みバケツを持ち運び可能に収容することができる釣用バッグを提供することにある。また、他の目的とするところは、魚釣りの邪魔にならない釣用バッグを提供することにある。
【課題を解決するための手段】
【００１１】
(1)上記目的が達成されるため、本発明に係る釣用バッグは、バッグ本体と、バッグ本体の外側面に設けられ、釣りに使用される水汲みバケツを収容可能なポケットを構成するシート状の被覆部材とを備えている。また、上記被覆部材は、可撓性を有し、上記外側面に沿うように折り畳まれた折畳姿勢と該折畳姿勢から外方に膨出展開した展開姿勢との間で姿勢変化する。
【００１２】
本発明の釣用バッグには、その外側面に、水汲みバケツを収容可能なポケットが設けられている。すなわち、上記ポケットは、水汲みバケツを収容可能なサイズに寸法設計されている。このポケットに水汲みバケツを収容することで、釣人は、バッグ本体の内部に収容された物と水汲みバケツとを分けた状態で、しかも、これらをひとまとめにして持ち運ぶことができる。例えば、釣用バッグが釣餌を保持するためのものである場合は、釣用バッグ内に水汲みバケツを放り込まずともひとまとめにして持ち運ぶことができるため、水汲みバケツが餌まみれになることが防止される。また、釣用バッグが釣り道具などを持ち運ぶためのものである場合は、釣り道具と隔離した状態で水汲みバケツと釣り道具とをひとまとめにして持ち運ぶことができるので、水汲みバケツから滲み出た海水によって釣り道具が汚されることはない。このように、上記ポケットが本発明の釣用バッグに設けられているため、釣人は、清潔な状態を維持したまま釣用バッグとともに水汲みバケツをひとまとめにして持ち運ぶことができる。
【００１３】
ところで、水汲みバケツを収容可能なポケットのサイズは比較的大きい。このようなポケットがあれば、水汲みバケツを持ち運ぶ際には便利であるが、水汲みバケツを使用している間は、つまり、ポケットに水汲みバケツを収容していない場合は、サイズの大きいポケットが釣人や釣人が使用するロッドなどに接触して、釣り操作を邪魔するおそれがある。本発明の釣用バッグにおいては、上記被覆部材は、折畳姿勢と展開姿勢との間で姿勢変化するよう構成されている。そのため、ポケットが空のときは薄く折り畳んでおくことができる。したがって、水汲みバケツが使用されている場合に、ポケットが釣り操作を邪魔することはない。
【００１４】
(2)上記被覆部材は、上記外側面と対向するように配置された正面部と、該正面部と上記外側面とを連結する襠部とを有し、上記襠部は、上記被覆部材が上記折畳姿勢となったときに上記ポケットの内側に屈曲するように仕付けられていることが好ましい。
【００１５】
このように構成されることで、ポケットが外部から押圧されると、襠部がポケットの内側に入り込むようにして谷折りにされる。これにより、折畳姿勢において、ポケットが幅広となることが防止される。
【００１６】
(3)ここで、上記襠部はＶ字状に折り曲げられており、該Ｖ字の谷に対応する部分に溝が設けられていることが望ましい。
【００１７】
このような溝が設けられているため、小さな押圧力で襠部の折り曲げを実現することができる。また、襠部は予めＶ字状に仕付けられているため、該襠部を容易に折り曲げることができる。
【００１８】
(4)上記被覆部材を上記折畳姿勢に保持する保持部材がさらに設けられていてもよい。
【００１９】
ポケットが空のときは、ポケットをバッグ本体の外側面に押し付けて、襠部を収縮させることで、ポケットを薄くすることが好ましい。本発明の釣用バッグは上記保持部材が設けられているため、ポケットの折畳姿勢を保持することが可能である。
【００２０】
(5)上記保持部材としては、上記被覆部材が上記折畳姿勢となったときに上記溝で谷折りされたことにより対面する一方の面に設けられた係合部と、他方の面に設けられた被係合部とを有して構成されたものが考えられる。
【００２１】
この構成によれば、上記襠部が折り曲げられると、上記溝で谷折りされたことにより対面する一方の面の係合部と、他方の面の被係合部とが係合する。これにより、上記襠部の広がりが防止されて、ポケットの折畳姿勢が容易に維持される。
【００２２】
(6)上記係合部及び被係合部の具体例として、一対の面ファスナーが考えられる。
【００２３】
面ファスナーは市場に多く流通しており、廉価である。したがって、係合部及び被係合部を低コストで実現することができる。
【００２４】
(7)また、本発明の釣用バッグにおいて、上記襠部が、ベローズ状に形成されていてもよい。
【００２５】
このような襠部を有するポケットであれば、ポケットの折畳姿勢を保持する部材を設けることなく、ポケットを折畳姿勢と展開姿勢とに任意に変化させることができる。
【００２６】
(8)更にまた、上記ポケットの底面部の幅方向両端に開口が形成されていることが好ましい。
【００２７】
これにより、海水が付着した状態の水汲みバケツがポケットに収容された場合でも、水汲みバケツとともにポケットに入り込んだ海水が上記開口を通じて外部に排出される。また、誤ってポケットに釣餌が入り込んだとしても、海水を流し込むことによって底部に溜まることなく、上記開口から排出されるため、ポケット内の清掃を簡単に行うことができる。
【００２８】
(9)また、上記襠部は、メッシュ構造を有するものであってもよい。
【００２９】
この構成によれば、水汲みバケツの付属品、例えば、吊下げロープなどが開口から垂れ落ちることが防止される。また、通気性が良くなり、水汲みバケツや吊下げロープなどの乾燥が促進される。
【発明の効果】
【００３０】
本発明の釣用バッグによれば、バッグ本体の外側面に設けられたポケットに水汲みバケツを収容することで、釣人は、バッグ本体の内部に収容された物と水汲みバケツとを分けた状態で、しかも、これらをひとまとめにして持ち運ぶことができる。例えば、釣用バッグが釣餌を保持するためのものである場合は、水汲みバケツが餌まみれになることが防止される。また、釣用バッグが釣り道具などを持ち運ぶためのものである場合は、釣り道具と隔離した状態で水汲みバケツと釣り道具とを持ち運ぶことができるので、釣り道具が海水で汚されることはない。
【００３１】
また、本発明の釣用バッグにおいては、上記被覆部材は、折畳姿勢と展開姿勢との間で姿勢変化するよう構成されている。そのため、ポケットが空のときは薄く縮ませておくことができる。その結果、水汲みバケツが使用されている場合に、ポケットが釣り操作を邪魔することはない。
【発明を実施するための最良の形態】
【００３２】
以下、適宜図面が参照されつつ、好ましい実施形態に基づいて本発明が詳細に説明される。
【００３３】
《第１の実施形態》
図１は、本発明の第１の実施形態に係る餌用バケツ１（本発明の釣用バッグの一例）の斜視図であって、側面２６に設けられたサイドポケット６０が展開された状態（展開姿勢）が示されている。本餌用バケツ１は、例えば、釣り道具を収容するための容器、或いは釣れた魚を生かしておくための生け簀として用いることが可能であるが、主として、魚釣りの際に用いられる釣餌を収容するための容器として使用される。以下、餌用バケツ１の構成について詳述される。
【００３４】
餌用バケツ１は、図１が示すように、バケツ本体１０と、バケツ本体１０の上面に設けられた上蓋１１と、バケツ本体１０の側面２６に設けられたサイドポケット６０とを備えている。
【００３５】
バケツ本体１０は、略直方体形状に形成されており、その上面には開口が形成されている。なお、この開口は上蓋１１で塞がれているため、図１には示されていない。このバケツ本体１０に、撒き餌などの釣餌が収容される。釣餌としては、一般に、生或いはボイルされたオキアミや、アミエビなどが使用される。これら釣餌は水分を多く含むため、バケツ本体１０は防水構造が採用されている。バケツ本体１０のサイズは、撒き餌として多用される冷凍オキアミや冷凍ボイルオキアミのブロックが収容可能なサイズに設定されており、例えば、長径が３０ｃｍから５０ｃｍ程度のものである。もちろん、本餌用バケツ１は、上記サイズに限定されることはなく、多様なサイズを採用することができる。
【００３６】
バケツ本体１０は、略長方形状の平板状の底面部１４と、この底面部１４の周縁に立設された側壁部１５とを備えている。底面部１４及び側壁部１５は、シート状の合成樹脂から構成されている。合成樹脂としては、例えば、エチレン酢酸ビニル共重合体（ＥＶＡ）が好適に採用される。底面部１４の肉厚寸法は、０．７５ｍｍ〜２．０ｍｍ程度に設定され、側壁部１５の肉厚寸法も、０．７５ｍｍ〜２．０ｍｍ程度に設定され得る。側壁部１５は、シート状の合成樹脂が筒状に形成されており、その下端が上記底面部１４の周縁に溶着されることによってバケツ本体１０が形成されている。このようにバケツ本体１０が形成されることにより、バケツ本体１０の上面に底面部１４と略同じ形状で同じサイズの開口が形成される。また、バケツ本体１７の上面の開口が矩形に形成されることによって、バケツ本体１０の剛性が向上し、餌用バケツ１の使い勝手が向上する。
【００３７】
側壁部１５の上端部は、バケツ本体１０の外側に折り返されており、所定位置において当該側壁部１５の外側面に溶着されている。なお、側壁部１５の上端部は、上蓋１１で塞がれているため、図１には示されていない。上記側壁部１５の上端部は、バケツ本体１０の周囲全体にわたって連続して溶着されていてもよいし、間欠的に溶着されていてもよい。また、この第１の実施形態では、上記側壁部１５の上端部は、図示しない芯材に巻き掛けられている。この芯材は、環状に形成されており、上記開口の周縁部に沿って配置されている。上記芯材は、例えばステンレススチールから構成され得る。この芯材が設けられることにより、バケツ本体１０の開口の周縁部の剛性が向上し、その結果、餌用バケツ１が釣餌の容器として一層使い易いものとなる。
【００３８】
図１が示すように、バケツ本体１０は一対の把手２２，２３を備えている。把手２２，２３は、バケツ本体１０の長辺を含む両側面２４に設けられている。把手２２，２３は、取付ステー１２を介してバケツ本体１０の両側面２４に取り付けられている。これら把手２２，２３は、バケツ本体１０と同じ素材のエチレン酢酸ビニル共重合体（ＥＶＡ）、或いはポリエチレン等の合成樹脂により形成することができる。
【００３９】
図２は、取付ステー１２の拡大斜視図である。図１及び図２が示すように、取付ステー１２は、バケツ本体１０の側面２４に固定されるベース部３０と、このベース部３０の中央部に形成されたブリッジ部３１と、このブリッジ部３１の両側方にそれぞれ形成された軸受部３２とを備えている。この取付ステー１２は合成樹脂からなり、例えば射出成型されることによって上記ベース部３０、ブリッジ部３１及び軸受部３２が一体に形成される。取付ステー１２は、シート状の合成樹脂で形成されている。この合成樹脂としては、例えば、バケツ本体１０と同じ素材、具体的には、エチレン酢酸ビニル共重合体（ＥＶＡ）が好適に採用される。なお、第１の実施形態では、取付ステー１２が射出成型などにより一体に形成されることととしたが、もちろん、上記ベース部３０、ブリッジ部３１及び軸受部３２が別々に形成されて、それぞれが組み付けられることで取付ステー１２が構成されてもよい。
【００４０】
上記ベース部３０は、横長矩形の平板状に形成されている。このベース部３０は、側面２４に溶着などによって取り付けられる。ブリッジ部３１は、扁平したＵ字状に形成されており、ベース部３０から外方向、つまり、側面２４に垂直な方向に突出している。このため、ブリッジ部３１とベース部３０との間に一定高さの空間が形成される。釣人は、このブリッジ部３１に、タオルやコマセカッター、サシエケース、柄杓ホルダ等を引っ掛けて、これら各道具を便利良く使用する。軸受部３２は、上記ブリッジ部３１の両側方にそれぞれ設けられている。この軸受部３２は、ベース部３０から外方向、つまり、側面２４に垂直な方向に突出している。軸受部３２には、ベース部３０の長手方向に沿って円筒状の軸孔３４が形成されている。軸受部３２は、後述される把手２２の軸４６（図３参照）を回動自在に支持する。
【００４１】
ベース部３０における軸受部３２の下方には、当該軸受部３２に連続するようにして切欠３３が形成されている。この切欠３３が設けられることにより、軸受部３２の下側部分がベース部３０から離れるように変形することができる。軸受部３２の下側部分がベース部３０から離れるように変形した状態で、軸受部３２の下側に隙間が形成される。この隙間から上方へ向けて把手２２の軸４６（図３参照）が挿入されることで、軸受部３２が外方へ広げられつつ、軸４６が軸孔３４へ案内される。これにより、軸４６が軸孔３４に嵌め込まれる。このようにして把手２２の軸４６が軸受部３２に嵌め込まれた後に、軸受部３２がバケツ本体１０に溶着されると、把手２２は、取付ステー１２に対して回動自在な状態で取り付けられる。
【００４２】
図３は、把手２２の斜視図である。同図では、バケツ本体１０の一方の側面２４に取り付けられる把手２２が図示されているが、他方の側面２４に取り付けられる把手２３も略同様の形状である。そのため、把手２３についての詳細な説明は省略される。なお、把手２２に後述する連結具３６が設けられているのに対し、把手２３には連結具３６が設けられていない点においてのみ両者は相違する。
【００４３】
図３が示すように、把手２２は、全体として略Ｕ字形状を呈している。この把手２２は、略Ｕ字状に湾曲された湾曲部４０と、該湾曲部４０の両端からそれぞれ平行に延出されたアーム部４１とを備えて構成されている。把手２２は、上記取付ステー１２と同様に合成樹脂からなり、例えば射出成形されることによって形成される。なお、合成樹脂としては、例えば、エチレン酢酸ビニル共重合体（ＥＶＡ）が好適に採用される。
【００４４】
湾曲部４０には、略丸棒状の把持部４３が設けられている。釣人は、この把持部４３を把持して餌用バケツ１を持ち運ぶことができる。アーム部４１の端部４２は、平板状に形成されている。各端部４２それぞれの先端に、丸棒状の軸４６が形成されている。
【００４５】
各端部４２の先端は、それぞれ、フォーク状に形成されている。各軸４６は、各端部４２の先端同士を連結して上記把持部４３と略平行な方向に延びている。換言すれば、各端部４２の先端は、それぞれ、肉抜きされた空間４４を有し、各軸４６は、この空間４４に架け渡すように配置されている。この空間４４が形成されることにより、各軸４６が上記軸受部３２に容易に嵌め込まれる。また、各端部４２は、所定部位４５において屈曲されている。このように各端部４２が屈曲されていることにより、図１が示すように、把手２２が上方へ回動起立された状態で上記把持部４３が餌用バケツ１の上方中央に配置されることになる。なお、上記所定部位４５は、把手２２が上方へ回動起立されたときにバケツ本体１０の上端部（側壁部１５の上端部）に当接する位置に概ね設定されている。
【００４６】
把手２２のアーム部４１には、把手２２が上方へ回動起立された状態で他方の把手２３と連結するための連結具３６が設けられている。この連結具３６は、図３が示すように、合成樹脂で形成された短冊状のシート３７と、互いに係合解除可能に構成された一対のドットボタンとを有する。ドットボタンは、雄ボタン３８と雌ボタン３９とを有する。連結具３６は、図３が示すように、上記シート３７の一方端（以下「固定端」と称される。）がアーム部４１に巻き付けられることにより該アーム部４１に取り付けられている。具体的には、アーム部４１に巻き付けられて折り返されたシート３７の固定端が該シート３７に重ねられた状態で、雌ボタン３９と該雌ボタン３９を留める留め具（不図示）とによってその重合部分がひとまとめに固定されている。一方、シート３７の固定端と反対側の他方端（以下「自由端」と称される。）側の先端部には、留め具４７によって留められた雄ボタン３８が設けられている。
【００４７】
ドットボタンを構成する雄ボタン３８及び雌ボタン３９は既知の構造である。つまり、雄ボタン３８はスタッド部を備え、雌ボタン３９はソケット部を備えており、スタッド部がソケット部に嵌め込まれることによって、両者は、所定の嵌合力で係合する。そして、この所定の嵌合力に抗して雄ボタン３８と雌ボタン３９との嵌合を解除する力が作用した場合は、両者の係合は解除される。
【００４８】
このような連結具３６が把手２２に設けられているため、図１が示すように、把手２２及び把手２３が上方へ回動起立されたときは、各把手２２，２３を一つにまとめて縛ることができる。すなわち、シート３７の自由端側を把手２３のアーム部４１に巻き付けて折り返した後に、雄ボタン３８と雌ボタン３９とを係合することで、各把手２２，２３を一つにまとめて結束することができる。これにより、２つの把手２２，２３の両方を同時に容易に把持することができるため、釣人は、餌用バケツ１の持ち運びを迅速に行うことができる。
【００４９】
図１が示すように、上蓋１１は、バケツ本体１０の上面に形成された開口（不図示）を覆うようにして取り付けられている。そのため、上蓋１１は、上記開口に相応した形状に形成されており、具体的には、略長方形状に形成されている。上蓋１１は、上記開口を開閉するものであり、該開口を開放する状態と該開口を閉塞する状態とに姿勢変化される。上蓋１１は、上記バケツ本体１０と同様に、シート状の合成樹脂から構成されており、適度な可撓性と弾性を有する。合成樹脂としては、例えば、エチレン酢酸ビニル共重合体（ＥＶＡ）が好適に採用される。
【００５０】
図１が示すように、上蓋１１は、バケツ本体１０の開口、すなわち、側壁部１５の上端部に、合成樹脂などのシート片５５によって取り付けられている。具体的には、同図が示すように、上蓋１１とバケツ本体１０とを渡すようにシート片５５が取り付けられている。これにより、上蓋１１とバケツ本体１０とがシート片５５によって結合される。この第１の実施形態では、把手２２，２３が取り付けられた側面２４に隣接する側面２６の上端部の略中央部において、上蓋１１とバケツ本体１０とがシート片５５によって結合されている。このシート片５５は、該シート片５５の上端側が上蓋１１の端部に縫い付けられることで固定されており、該シート片５５の下端側が側面２６の上端部に縫い付けられることで固定されている。このように、上蓋１１とバケツ本体１０とが結合されることにより、シート片５５を回動軸として、上記バケツ本体１０の開口に対して上蓋１１が回動可能となる。したがって、上記シート片５５は、上記バケツ本体１０の開口に対して上蓋１１を回動可能にするヒンジとしての役割を果たす。なお、第１の実施形態では、シート片５５を縫い付けることで上蓋１１とバケツ本体１０とを結合することとしたが、溶着或いは接着によりそれぞれを結合してもよい。
【００５１】
図１が示すように、上蓋１１は、スライドファスナー（以下「ファスナー」と略称される。）５６を介してバケツ本体１０の開口の周縁部、すなわち、側壁部１５の上端部に連結されている。ファスナー５６の基端及び終端は、シート片５５の裏側に収められており、シート片５５と共に側面２６の上端部に縫い付けられている。ファスナー５６は、図１が示すように、２つのスライダー５７を有する。それぞれのスライダー５７が、シート片５５の両端を起点として互いに近づく方向（シート片５５から離反する方向）へスライドされることにより、上蓋１１とバケツ本体１０とが連結される。また、スライダー５７それぞれが互いに離反する方向（シート片５５に近づく方向）へスライドされることで、ファスナー５６による連結が解除されて、バケツ本体１０の開口が開放可能となる。各スライダー５７には、引き手５８が取り付けられている。そのため、スライダー５７の操作性が高められ、釣人は、スライダー５７を容易に操作することができる。なお、図１には示されていないが、引き手５８に、伸縮可能な環状のゴム紐を取り付けても良い。
【００５２】
上蓋１１の外側の面５１には、該上蓋１１の各短辺の中点を通る直線上に２つのボタンが配置されている。具体的には、図１が示すように、シート片５５側の端部付近に雌ボタン５３が設けられ、シート片５５と対向する側の端部付近に雄ボタン５２が設けられている。これら各ボタン５２，５３は、上蓋１１の内側面から上蓋１１を貫通して各ボタン５２，５３を外側面５１に圧着する留め具（不図示）によって上蓋１１に固定されている。
【００５３】
雄ボタン５２と雌ボタン５３は互いに係合解除可能に構成されたドットボタンである。これらのボタン５２，５３は既知の構造を有する。具体的には、雄ボタン５２はスタッド部を備え、雌ボタン５３はソケット部を備えており、スタッド部がソケット部に嵌め込まれることによって、両者は所定の嵌合力で係合する。そして、この所定の嵌合力に抗して雄ボタン５２と雌ボタン５３との嵌合を解除する力が作用した場合は、両者の係合は解除される。
【００５４】
このように、雄ボタン５２及び雌ボタン５３が上蓋１１に設けられているため、以下の作用効果が奏される。すなわち、スライダー５７をスライドさせて、上蓋１１の長辺方向の中心付近の位置まで各スライダー５７を移動させ、続いて、把手６０側の上蓋１１の端部を引き上げて、シート片５５側へ反転させると、バケツ本体１０の上面が半開状態となる。このとき、上記雄ボタン５２を上記雌ボタン５３に位置合わせしたうえで、それぞれを係合する。これにより、バケツ本体１０の上面を半開状態に維持することができ、さらに、上蓋１１が地面に垂れ落ちないように固定することもできる。なお、上記半開状態は、バケツ本体１０の上面を全開状態とする場合に比べて、例えば、晴天時の実釣において撒き餌の乾燥を抑制したい場合や、悪天候時の実釣において雨水の浸入を抑えたい場合に好適である。
【００５５】
本発明の第１の実施形態に係る餌用バケツ１は、上述したように、バケツ本体１０の側面２６にサイドポケット６０が設けられている。このサイドポケット６０は、魚釣りに用いられる道具を収容するためのものであるが、特に、所謂水汲みバケツ９４（図１０参照）の収容に適している。以下、上記サイドポケット６０について詳述される。
【００５６】
図４は、サイドポケット６０の平面図であり、図５は、サイドポケット６０を下方から見た斜視図である。図４及び図５は、いずれも、サイドポケット６０が外方に膨出されて展開された状態（展開姿勢）が示されている。また、図６は、餌用バケツ１の斜視図、図７は、サイドポケット６０の平面図、図８は、サイドポケット６０を下方から見た斜視図であって、いずれも、サイドポケット６０が折り畳まれた状態（折畳姿勢）が示されている。
【００５７】
サイドポケット６０は、バケツ本体１０の短辺を含む側面２６に設けられている。このサイドポケット６０は、図１、図４及び図５が示すように、上面が開放された開口６４を有しており、該開口６４から水汲みバケツ９４（図１０参照）をサイドポケット５０内に出し入れすることができる。サイドポケット６０は、大別して、正面部６１、側面部６２及び底面部６３を有して構成されている。上記側面部６２及び上記底面部６３が、本発明の襠部に相当する。正面部６１は、側面２６から外方（側面２６に対して垂直な方向）へ所定距離を隔てられた位置で上記側面２６に対向するように配設されている。この正面部６１の両側端と側面２６とが側面部６２によって連結されている。また、正面部６１の下端と側面２６とが底面部６３によって連結されている。
【００５８】
上記サイドポケット６０は、自然体において、側面２６から外方へ膨出するように展開された展開姿勢に保持されている。また、上記展開状態のときに、正面部６１が側面２６側へ押圧されると、側面部６２及び底面部６３が撓まされて、サイドポケット６０は、上記側面２６に沿うように折り畳まれる折畳姿勢に変化される。すなわち、本サイドポケット６０は、上記折畳姿勢と上記展開姿勢との間で姿勢変化するよう構成されている。以下、サイドポケット６０の構造について説明される。
【００５９】
図９は、サイドポケット６０の展開状態を模式的に示した模式展開図であり、該サイドポケット６０の外側の面が紙面に現れている。同図が示すように、サイドポケット６０は、合成樹脂で形成されたシート状の本体シート６５（本発明の被覆部材に相当）によって構成されている。合成樹脂としては、種々のものが採用可能であるが、例えば、エチレン酢酸ビニル共重合体（ＥＶＡ）が好適に採用され得る。本体シート６５の肉厚寸法は、０．７５ｍｍ〜２．０ｍｍ程度に設定されている。もちろん、本体シート６５の材質やサイドポケット６０のサイズ、或いは必要とされる可撓性の程度如何によって、本体シート６５の肉厚寸法は適宜変更される。
【００６０】
図９が示すように、正面部６１は、矩形に形成されている。この正面部６１の両側方に連続して側面部６２がそれぞれ形成されている。また、正面部６１の下方に連続して底面部６３が形成されている。正面部６１と側面部６２とは境界線６７で仕切られており、正面部６１と底面部６３とは境界線６８で仕切られている。上記境界線６７で側面部６２が紙面に対して後方へ曲げられることで、サイドポケット６０の角部６９（図４等参照）が形成される。また、上記境界線６８で底面６３が紙面に対して後方へ曲げられることで、サイドポケット６０の角部７０（図５参照）が形成される。なお、この第１の実施形態では、境界線６７，６８の部分に熱曲げ加工を予め施すことにより、当該部分を概ね直角に変形させている。
【００６１】
側面部６２は、図４が示すように、略Ｖ字形状の曲げ癖が予め仕付けられている。具体的には、Ｖ字の谷に対応する谷部７３がサイドポケット６０の内側に位置するように仕付けられている。また、図５が示すように、底面部６３も、側面部６２と同じように、略Ｖ字形状の曲げ癖が予め仕付けられており、具体的には、Ｖ字の谷に対応する谷部７４がサイドポケット６０の内側に位置するように仕付けられている。このような仕付けは、例えば、熱曲げ加工等によって容易に実現することができる。側面部６２及び底面部６３が上述の如く略Ｖ字形状に仕付けられることによる作用効果は後述される。
【００６２】
図９が示すように、側面部６２には、該側面部６２の谷部７３に沿って溝７５が形成されている。この溝７５は、側面部６２の屈曲を容易にするためのものである。側面部６２が屈曲されると、溝７５が屈曲点として折り曲げられる。このとき、溝７５を境にして二分される面６２ａと面６２ｂとが対面することになる。また、底面部６３にも、谷部７４に沿って溝７６が形成されている。この溝７６も、底面部６３の屈曲を容易にするためのものである。底面部６３が屈曲されると、溝７６が屈曲点として折り曲げられる。このとき、溝７６を境にして二分される面６３ａと面６３ｂとが対面することになる。
【００６３】
側面部６２における上記面６２ａ，６２ｂには、一対の面ファスナー７７（本発明の保持部材に相当）が設けられている。面ファスナー７７のうち、フック状に起毛されたフック部７８（本発明の係合部に相当）が面６２ａに設けられ、ループ状に密集して起毛されたループ部７９（本発明の被係合部に相当）が面６２ｂに設けられている。また、底面部６３にも一対の面ファスナー８０（本発明の保持部材に相当）が設けられており、この面ファスナー８０のうち、フック部８１（本発明の係合部に相当）が面６３ａに設けられ、ループ部８２（本発明の被係合部に相当）が面６３ｂに設けられている。このような面ファスナー７７，８０が側面部６２及び底面部６３に設けられることにより奏される作用効果については後述される。なお、この第１の実施形態では、図９に示すように、側面部６２及び底面部６３それぞれに面ファスナーを一つずつ設けることとしたが、例えば、側面部６２及び底面部６３それぞれに複数の面ファスナーを設けてもよい。また、底面部６３よりも側面部６２の方に多くの面ファスナーを設け、或いは、接合面の大きい面ファスナーを設けて、側面部６２の係合を強化してもよい。
【００６４】
図９が示すように、底面部６３の幅方向両端８７は、略半円状に切り抜かれた形状を呈する。言い換えれば、底面部６３は、その幅方向両端８７に、略半円状の切欠８４を備える。また、側面部６２は、その下端８６に、略半円状に切り抜かれた切欠８５を備える。これら切欠８４及び切欠８５は、本体シート６５が側面２６に取り付けられたときに互いに合わさることで、底面部６３の幅方向両端における開口８８（図４等参照）を構成する。上記切欠８４及び切欠８５のサイズは適宜変更され得る。上記開口８８は、釣餌として多用されるオキアミが当該開口８８を通り抜けることが可能なサイズに形成されている。もちろん、上記開口８８が少なくとも水抜きが可能な微小孔となるようなサイズに上記切欠８４及び切欠８５を設定してもよい。なお、上記切欠８４及び切欠８５が設けられることによる作用効果についは後述される。
【００６５】
側面部６２は、その下端８６よりも上端８３の方が幅広に形成されている。また、側面部６２の上端８３は、正面部６１の上端６６の終端から谷部７３に至るまでは上端６６の延長線と一致しているが、該谷部７３から側面部６２の側端に至るまでは、上端６６に対して所定角度φだけ下方に傾斜されている。かかる作用効果については後述される。
【００６６】
図９が示すように、側面部６２の側端、すなわち本体シート６５の両側端には、溶着代７１が設けられている。また、底面部６３の下端、すなわち本体シート６５の下端にも同様の溶着代７２が設けられている。これら溶着代７１，７２がバケツ本体１０の側面２６に溶着されることで、本体シート６５が側面２６に取り付けられる。これにより、図４及び図５等が示すように、当該側面２６にサイドポケット６０が形成される。
【００６７】
上述の如く構成されたサイドポケット６０は、所謂水汲みバケツ９４（図１０参照）の収容に適している。上記水汲みバケツ９４は、魚釣りの際に使用されるものであって、足場の高い釣り場から容易に海水を汲み上げることを可能にするものである。ここに、一般的な水汲みバケツ９４の一例を図１０に示す。同図が示すように、水汲みバケツ９４は、円筒容器状の本体９５と、本体９５の開口９６の周縁に取り付けられたロープ９７とを有して構成されている。本体９５は、円盤状の底板９８の周縁から立設された側壁部９９を有する。この側壁部９９は、合成樹脂で形成された薄肉のシートで構成されており、可撓性を有する。このように、側壁部９９は可撓性を有するため、水汲みバケツ９４は、側壁部９９の円筒軸方向に押圧力を受けることで容易に撓まされて、図１０（ａ）が示す伸張状態から同図（ｂ）が示す折畳状態に縮めることができる。
【００６８】
上記サイドポケット６０は、図１０（ｂ）が示す如く小さく折り畳まれた状態の水汲みバケツ９４を収容することが可能なサイズに設計されている。水汲みバケツ９４は、高所から人力で水を汲み上げるという性格上、その容量はそれほど多くない。したがって、市場においては、外径Ｄが概ね１５ｃｍから２５ｃｍに設計されたものが最も多く流通している。かかる事情に鑑みて、上記サイドポケット６０の横幅は、上記外径Ｄよりも若干大きな寸法に設定されている。また、サイドポケット６０は、折り畳まれた状態の水汲みバケツ９４を収容することができれば足りるため、サイドポケット６０の襠幅は、折り畳まれた状態の水汲みバケツ９４の高さＨよりも若干大きな寸法に設定されている。
【００６９】
上述したように、第１の実施形態に係る餌用バケツ１には、側面２６にサイドポケット６０が設けられているため、折り畳まれた水汲みバケツ９４を上記サイドポケット６０に収容することができる。したがって、釣人は、バケツ本体１０の内部に収容された釣餌と水汲みバケツ９４とを物理的に分け隔てた状態で、しかも、これらをひとまとめにして持ち運ぶことができる。また、サイドポケット６０は、図１に示す展開姿勢と図６に示す折畳姿勢とに変化させることができ、しかも、側面部６２及び底面部６３に設けられた面ファスナー７７，８０によって、サイドポケット６０は上記折畳姿勢を保持することができる。したがって、サイドポケット６０が空のときは薄く折り畳んでおくことができるため、不必要に膨らんだサイドポケット６０によって釣り操作が邪魔されることはない。
【００７０】
また、本サイドポケット６０は、側面部６２の下端８６よりも上端８３の方が幅広に形成されている（図９参照）。したがって、サイドポケット６０は、底面部６３から開口６４に向かって末広がり状に形成されている。そのため、釣人は、水汲みバケツ９４の折畳状態が不十分であっても、該水汲みバケツ９４を開口６４に容易に押し入れることができる。さらにまた、本サイドポケット６０は、底面部６３に向かうにつれて狭められているため、水汲みバケツ９４をサイドポケット６０の奥底へ押し込むことによって、次第に水汲みバケツ９４を収縮させるとともに、該水汲みバケツ９４をしっかりとホールドすることができる。これにより、ガタを生じることなく安定した状態で水汲みバケツ９４を収容することができる。
【００７１】
更にまた、側面部６２の上端８３において、正面部６１の上端６６の終端から谷部７３に至るまでの部分が上端６６の延長線と一致し、該谷部７３から側面部６２の側端に至るまでの部分が上端６６に対して所定角度φだけ下方に傾斜されている。そのため、サイドポケット６０の側面部６２の上端８３は開口６４の周縁から上方へ突出する。これにより、サイドポケット６０に収容された水汲みバケツ９４が側方向へ落下することが確実に防止される。
【００７２】
また、側面部６２及び底面部６３が略Ｖ字形状に仕付けられているため、サイドポケット６０が折畳姿勢（図６参照）に変化した際に、側面部６２及び底面部６３がサイドポケット６０の内側に容易に屈曲される。その結果、折畳姿勢において、サイドポケット６０が幅広となることが防止される。さらに、側面部６２の谷部７３に沿って溝７５が形成されており、底面部６３にも、谷部７４に沿って溝７６が形成されているため、側面部６２及び底面部６３の屈曲を小さな押圧力で容易に実現することができる。
【００７３】
また、第１の実施形態では、側面部６２の下端８６（図９参照）に切欠８５が設けられ、底面部６３の幅方向両端８７に切欠８４が設けられているため、図６が示す折畳姿勢において、側面部６２と底面部６３との重合が回避される。これにより、折畳姿勢のおけるサイドポケット６０が薄くなる。また、図１が示す展開姿勢では、切欠８４及び切欠８５によって開口８８が形成されるため、サイドポケット６０内に入り込んだ海水や釣餌は上記開口８８から外部へ排出される。これにより、サイドポケット６０の底面部６３に海水や釣餌などが溜まるのが防止される。
【００７４】
なお、上述の第１の実施形態では、側面部６２及び底面部６３を略Ｖ字形状に仕付けることとしたが、例えば、側面部６２及び底面部６３をベローズ状に構成してもよい。このように、サイドポケット６０の襠に相当する側面部６２及び底面部６３がベローズ状に形成されておれば、釣人は、サイドポケット６０を折畳姿勢と展開姿勢とに任意に変化させることができる。また、面ファスナー７７，８０を設けることなく、各姿勢を維持することができる。
【００７５】
また、上述の第１の実施形態では、サイドポケット６０を構成する正面部６１、側面部６２及び底面部６３は、いずれも、本体シート６５において一体に形成することとしたが、例えば、正面部６１、側面部６２及び底面部６３それぞれを独立に形成し、それぞれを溶着などによって接合することにより、本サイドポケット６０を構成してもかまわない。この場合、側面部６２及び底面部６３のいずれか或いは両方をメッシュ構造とすることにより、ロープ９７などの水汲みバケツ９４の付属品が垂れ落ちることが防止される。また、通気性が良くなり、水汲みバケツ９４やロープ９７などの乾燥が促進される。
【００７６】
《第２の実施形態》
図１１は、本発明の第２の実施形態に係るタックルバッグ１００（本発明の釣用バッグの一例）の斜視図である。本タックルバッグ１００は、主として、水汲みバケツや各種釣り道具を収容するための容器として使用される。以下、タックルバッグ１００の構成について詳述される。
【００７７】
タックルバッグ１００は、大別すると、バッグ本体１０１と、蓋１０５と、把手１０２と、肩掛けベルト１０３とを備えて構成されている。把手１０２は、バッグ本体１０１の前面部１０７及び背面部１０８に取り付けられている。肩掛けベルト１０３は、前面部１０７の左隣りの側面１０９と右隣りの側面１１０との間にバックル１１７を介して架け渡されている。釣人は、上記把手１０２を把持することによって、または、肩掛けベルト１０３を肩に掛けることによって、タックルバッグ１００を持ち運びすることができる。
【００７８】
肩掛けベルト１０３は、ベルト本体１１３と肩パッド１１４とを備えている。肩パッド１１４は、ベルト本体１１３に設けられており、ベルト本体１１３に沿ってスライド可能となっている。肩パッド１１４は、ベルト本体１１３よりも幅寸法が大きく設定されており、内部に緩衝部材が設けられている。したがって、釣人が肩パッド１１４を肩に掛けたときは、肩パッド１１４は釣人の肩に沿って確実に当接する。
【００７９】
バッグ本体１０１の上面に蓋１０５が設けられている。この蓋１０５によって、バッグ本体１０１の上面に設けられた開口が閉塞される。なお、当該開口は蓋１０５によって閉塞されているため、図１１には示されていない。バッグ本体１０１及び蓋１０５は、背面部１０８において連結ベルトとバックルとによって連結されている。これにより、蓋１０５は、バッグ本体１０１に対して開閉自在となっている。また、蓋１０５の前面側は、バックル１０６によってバッグ本体１０１の前面部１０７に連結されている。バッグ本体１０１は、内部に収容室が区画されており、釣人は、水汲みバケツ９４（図１０参照）などの所要の釣り道具をバッグ本体１０１に収容することができる。バッグ本体１０１及び蓋１０５は、合成樹脂で構成されている。この合成樹脂としては、例えば、エチレン酢酸ビニル共重合体（ＥＶＡ）、ポリ塩化ビニル（ＰＶＣ）、ＡＢＳ樹脂、ポリエチレン（ＰＥ）が好適に採用され得る。
【００８０】
バッグ本体１０１の前面部１０７には、フロントポケット１１１が設けられている。このフロントポケット１１１も、上記ケース１０４と同様に、合成樹脂により構成される。フロントポケット１１１は、スライドファスナー（以下「ファスナー」と略称される）１１２が設けられている。ファスナー１１２は、図１１が示すように、引き手１１８が連結されたスライダー１１９を有する。このスライダー１１９が操作されることによって、フロントポケット１１１の上面１１５及び側面１１６が開閉される。フロントポケット１１１には、主として、釣人が所望する小道具が収容される。
【００８１】
バッグ本体１０１の側面１０９にもサイドポケット１２０が設けられている。このサイドポケット１２０は、魚釣りに用いられる道具を収容するためのものであるが、特に、所謂水汲みバケツ９４（図１０参照）の収容に適している。以下、上記サイドポケット１２０について詳述される。
【００８２】
図１２は、タックルバッグ１００を側面１０９側から見た斜視図である。また、図１３及び図１４は、サイドポケット１２０の側面を示す図であり、図１３は、防水カバー１２５が閉じられた状態を示し、図１４は、防水カバー１２５が開けられた状態を示している。
【００８３】
サイドポケッ１２０は、上面に開口１２４（図１４参照）を有している。該開口１２４から水汲みバケツ９４（図１０参照）をサイドポケット１２０内に出し入れすることができる。サイドポケット１２０は、大別して、正面部１２１、側面部１２２及び底面部１２３を有して構成されている。上記側面部１２２及び上記底面部１２３が、本発明の襠部に相当する。正面部１２１は、バッグ本体１０１の側面１０９から外方（側面１０９に対して垂直な方向）へ所定距離を隔てられた位置で上記側面１０９に対向するように配設されている。この正面部１２１の両側端と側面１０９とが側面部１２２によって連結されている。また、正面部１２１の下端と側面１０９とが底面部１２３によって連結されている。
【００８４】
サイドポケット１２０の側面部１２２及び底面部１２３は、サイドポケット１２０の襠に相当する。これら側面部１２２及び底面部１２３は、柔軟性及び可撓性のある合成樹脂、例えば、エラストマ等のように顕著な弾性を有する高分子材料で構成されている。側面部１２２及び底面部１２３の襠幅は、折り畳まれた状態の水汲みバケツ９４（図１０（ｂ）参照）の高さＨよりも若干大きな寸法に設定されている。なお、底面部１２３には、水抜き孔１２６が設けられており、サイドポケット１２０に侵入した雨水や海水が外部へ排出されるようになっている。
【００８５】
サイドポケット１２０の正面部１２１は、透過性を有する合成樹脂で形成されたシート部材で構成されている。したがって、サイドポケット１２０に収容された釣り道具を正面部１２１を通して外部から視認することができる。サイドポケット１２０は、図１０（ｂ）が示す如く折り畳まれた状態の水汲みバケツ９４を収容することが可能なサイズに設計されており、具体的には、サイドポケット１２０の横幅は、水汲みバケツ９４の外径Ｄ（図１０（ａ）参照）よりも若干大きな寸法に設定されている。
【００８６】
図１３及び図１４が示すように、バッグ本体１０１の側面１０９には、防水カバー１２５が取り付けられている。この防水カバー１２５は、上記側面部１２２及び底面部１２３と同様に、柔軟性及び可撓性のある合成樹脂で構成されている。防水カバー１２５は、基端部１２７と、該基端部１２７から延出される延出部１２８とを有する。サイドポケット１２０の直上において、防水カバー１２５の基端部１２７が側面１０９に縫い付けられることにより、防水カバー１２５がバッグ本体１０１に取り付けられている。
【００８７】
延出部１２８は、基端部１２７から側面１０９の外方に延出されている。この延出部１２８は、サイドポケット１２０の上部の開口１２４（図１４参照）を覆い、さらに、正面部１２１の中央付近まで垂れ下がっている。このような防水カバー１２５によって、サイドポケット１２０の開口１２４から雨水やゴミなどが侵入することが防止される。この防水カバー１２５は、例えば面ファスナーによって、上記延出部１２８が正面部１２１に着脱自在に保持されている。そのため、防水カバー１２５による防水効果が一層高められている。
【００８８】
上述したように、第２の実施形態に係るタックルバッグ１００には、側面１０９にサイドポケット１２０が設けられているため、上述した第１の実施形態と同じように、折り畳まれた水汲みバケツ９４（図１０（ｂ）参照）を上記サイドポケット１２０に収容することが可能である。したがって、釣人は、バッグ本体１０１の内部に収容された釣り道具と水汲みバケツ９４とを物理的に分け隔てた状態で、しかも、これらをひとまとめにして持ち運ぶことができる。これにより、仮に、水汲みバケツ９４に付着した海水を拭き取らなくても、タックルバック１００内に海水が滲み出て、他の釣り道具を汚してしまうという問題が解消される。
【００８９】
なお、第２の実施形態に係るタックルバッグ１００においても、第１の実施形態に係る餌用バケツ１と同じように、サイドポケット１２０の襠に相当する側面部１２２及び底面部１２３をベローズ状にしてもよい。また、側面部１２２及び底面部１２３のいずれか或いは両方をメッシュ構造とすることも考えられる。
【図面の簡単な説明】
【００９０】
【図１】図１は、本発明の第１の実施形態に係る餌用バケツ１の斜視図である。
【図２】図２は、取付ステー１２の拡大斜視図である。
【図３】図３は、把手２２の斜視図である。
【図４】図４は、サイドポケット６０の平面図である。
【図５】図５は、サイドポケット６０を下方から見た斜視図である。
【図６】図６は、本発明の第１の実施形態に係る餌用バケツ１の斜視図である。
【図７】図７は、サイドポケット６０の平面図である。
【図８】図８は、サイドポケット６０を下方から見た斜視図である。
【図９】図９は、サイドポケット６０の展開状態を模式的に示した模式展開図である。
【図１０】図１０は、一般的な水汲みバケツ９４の一例を示す斜視図であり、（ａ）は、展開された状態を示し、（ｂ）は、折り畳まれた状態を示す。
【図１１】図１１は、本発明の第２の実施形態に係るタックルバッグ１００の斜視図である。
【図１２】図１２は、本発明の第２の実施形態に係るタックルバッグ１００を側面１０９側から見た斜視図である。
【図１３】図１３は、サイドポケット１２０の側面を示す図である。
【図１４】図１４は、サイドポケット１２０の側面を示す図である。
【図１５】図１５は、従来の餌用バケツ１４０の斜視図である。
【符号の説明】
【００９１】
１・・・餌用バケツ
１０・・・バケツ本体
１１・・・上蓋
２４・・・側面
２６・・・側面
６０・・・サイドポケット
６１・・・正面部
６２・・・側面部
６３・・・底面部
６４・・・開口
６５・・・本体シート
７３，７４・・・谷部
７５，７６・・・溝
７７，８０・・・面ファスナー
８８・・・開口
９４・・・水汲みバケツ
１００・・・タックルバッグ
１０１・・・バッグ本体
１２０・・・サイドポケット
１２１・・・正面部
１２２・・・側面部
１２３・・・底面部
１２４・・・開口
１２６・・・水抜き孔
【図１】
2007330133.tif 000003
【図２】
2007330133.tif 000004
【図３】
2007330133.tif 000005
【図４】
2007330133.tif 000006
【図５】
2007330133.tif 000007
【図６】
2007330133.tif 000008
【図７】
2007330133.tif 000009
【図８】
2007330133.tif 000010
【図９】
2007330133.tif 000011
【図１０】
2007330133.tif 000012
【図１１】
2007330133.tif 000013
【図１２】
2007330133.tif 000014
【図１３】
2007330133.tif 000015
【図１４】
2007330133.tif 000016
【図１５】
2007330133.tif 000017